(57)【要約】【課題】  棒状の手摺を手摺保持部材に取り付けた状態で、手摺のブラケット本体に対する傾き角度を任意に調節することができるようにすることにより、手摺保持部材の凹面部材に対する位置決めを容易にし、建材部に対する手摺の取り付けを精度の良いものにする。【解決手段】  ブラケット本体３と、手摺１の端部１ａを嵌合するとともに、他端に略半球状の凸面５ｄが設けられた手摺保持部材５と、手摺保持部材５の凸面５ｄに接する凹面６ａが形成された凹面部材６と、手摺保持部材５を摺動可能に凹面部材６に締結する締結手段７と、凹面部材６に連結され、かつブラケット本体３に固定される連結部材８とを備え、締結手段７は、手摺保持部材５に対する締結力を凹面部材６の連結部材８側から変更可能に構成されている。【選択図】      図２
2005220559.tif 000002
【特許請求の範囲】
【請求項１】
棒状の手摺とこの手摺が固定される建材部との間に設けられ、手摺を建材部に固定するための手摺ブラケットであって、
建材部に固定されるブラケット本体と、
手摺の端部を嵌合する嵌合部が一端に設けられるとともに、他端に略半球状の凸面が設けられた手摺保持部材と、
手摺保持部材の凸面に接する凹面が形成された凹面部材と、
手摺保持部材を凹面部材の凹面に沿って摺動可能に凹面部材に締結する締結手段と、
凹面部材に連結され、かつブラケット本体に固定される連結部材と
を備え、
上記締結手段は、手摺保持部材に対する締結力を凹面部材の連結部材側から変更可能に構成されていることを特徴とする手摺ブラケット。
【請求項２】
上記連結部材は、ブラケット本体に固定されるとともに、凹面部材を連結するブラケット側連結部材と、このブラケット側連結部材と一体に嵌合され、凹面部材のブラケット側連結部材に対する連結部を覆うカバー部材とを備え、
上記ブラケット側連結部材は、凹面部材に設けられた連結ねじ受け座とブラケット側連結部材に設けられた連結ねじ孔とを連結ねじで締結することにより、凹面部材をブラケット側連結部材に連結することを特徴とする請求項１に記載の手摺ブラケット。
【請求項３】
上記手摺保持部材は、略半球状の凸面の中心から周縁部にかけて設けられたスリットを有し、
上記凹面部材は、凹面の略中心に設けられたシャフト挿通孔を有し、
上記締結手段は、
手摺保持部材のスリットと手摺保持部材のシャフト挿通孔とを挿通するシャフトと、
このシャフトの両端に設けられ、手摺保持部材と凹面部材とを挟持するようにして、手摺保持部材を凹面部材とシャフトとに対して角度変更可能に締結する締結ボルトおよび締結ナットと
を有していることを特徴とする請求項１または請求項２のいずれかに記載の手摺ブラケット。
【請求項４】
上記シャフトは、スリットの側壁に沿う状態でスリットに挿通されるように断面が略矩形に形成されるとともに、上記締結ナットと一体に設けられ、
上記凹面部材のシャフト挿通孔は、略矩形のシャフトの端部と嵌合することができるように略矩形に形成され、
上記締結ボルトは、上記締結ナットと上記シャフトの少なくとも一方と螺合して手摺保持部材と凹面部材とを挟持するように、手摺保持部材を凹面部材とシャフトとに対して角度変更可能に締結することを特徴とする請求項３に記載の手摺ブラケット。
【請求項５】
上記凹面部材は、キー溝を有し、
このキー溝と上記手摺保持部材のスリットとに嵌合可能な嵌合部材により、手摺保持部材の凹面部材に対する位置決めが可能なように構成されていることを特徴とする請求項３または請求項４のいずれかに記載の手摺ブラケット。
【請求項６】
上記ブラケット側連結部材と、カバー部材とは、凹面部材側の端部の内周面に凹面部材の外周面に設けられた係止突起と嵌め合う係止溝を備え、
凹面部材が、ブラケット側連結部材に連結され、ブラケット側連結部材およびカバー部材の係止溝と凹面部材の係止突起とが嵌め合った状態で、
凹面部材が連結部材に連結されることを特徴とする請求項２ないし請求項５のいずれかに記載の手摺ブラケット。
【発明の詳細な説明】
【技術分野】
【０００１】
本発明は、棒状の手摺を建材部に固定するための手摺ブラケットに関するものである。
【背景技術】
【０００２】
一般に棒状の手摺を建材部に固定するための手摺ブラケットとしては、建材部に固定されるブラケット本体と、手摺の端部を嵌合する嵌合部が一端に設けられた手摺保持部材とを備えた形式のものが知られている。
【０００３】
例えば、特許文献１には、ブラケット本体の上端に略円柱形状の連結部材が設けられ、この連結部材の両端に連結部材と手摺とを接続する二個の手摺保持部材が角度変更可能かつ回転可能な状態で配置された手摺用接続具の技術が開示されている。
【特許文献１】特開平１１−６２６７号公報
【発明の開示】
【発明が解決しようとする課題】
【０００４】
しかしながら、上述の手摺ブラケットの従来技術では、棒状の手摺を手摺保持部材から取り外した状態で、手摺保持部材のブラケット本体に対する傾き角度を調整するように構成されているので、棒状の手摺を手摺保持部材に取り付けた状態では、手摺のブラケット本体に対する傾き角度を任意に調節することができないという問題があった。そのため、手摺保持部材の凹面部材に対する位置決めが容易でなく、建材部に対する手摺の取り付けを精度の良いものにすることができなかった。
【０００５】
本発明は上記不具合に鑑みてなされたものであり、棒状の手摺を手摺保持部材に取り付けた状態で、手摺のブラケット本体に対する傾き角度を任意に調節することができるようにすることにより、手摺保持部材の凹面部材に対する位置決めが容易で、建材部に対する手摺の取り付けを精度の良いものにすることができる手摺ブラケットを提供することを課題としている。
【課題を解決するための手段】
【０００６】
上記課題を解決するための本発明は、棒状の手摺とこの手摺が固定される建材部との間に設けられ、手摺を建材部に固定するための手摺ブラケットであって、建材部に固定されるブラケット本体と、手摺の端部を嵌合する嵌合部が一端に設けられるとともに、他端に略半球状の凸面が設けられた手摺保持部材と、手摺保持部材の凸面に接する凹面が形成された凹面部材と、手摺保持部材を凹面部材の凹面に沿って摺動可能に凹面部材に締結する締結手段と、凹面部材に連結され、かつブラケット本体に固定される連結部材とを備え、上記締結手段は、手摺保持部材に対する締結力を凹面部材の連結部材側から変更可能に構成されていることを特徴とする手摺ブラケットである。
【０００７】
本発明によれば、手摺保持部材に対する締結力を凹面部材の連結部材側から変更することができるように締結手段が構成されているので、棒状の手摺を手摺保持部材に取り付けた状態で、手摺のブラケット本体に対する傾き角度を任意に調節することができ、手摺保持部材の凹面部材に対する位置決めが容易で、建材部に対する手摺の取り付けを精度の良いものにすることができるようになる。このように、締結手段の締結力の調節により、容易にかつ確実に手摺ブラケットを建材部と手摺とに対して取り付けることができるようになる。
【０００８】
ここで、上記連結部材は、ブラケット本体に固定されるとともに、凹面部材を連結するブラケット側連結部材と、このブラケット側連結部材と一体に嵌合され、凹面部材のブラケット側連結部材に対する連結部を覆うカバー部材とを備え、上記ブラケット側連結部材は、凹面部材に設けられた連結ねじ受け座とブラケット側連結部材に設けられた連結ねじ孔とを連結ねじで締結することにより、凹面部材をブラケット側連結部材に連結するものであることが好ましい。
【０００９】
このようにすれば、凹面部材がブラケット側連結部材に連結されるので、棒状の手摺を手摺保持部材に取り付けた状態で手摺保持部材の凹面部材に対する位置決めを行った後、凹面部材をブラケット側連結部材に連結することができるなど、手摺と建材部との状況に応じて、様々な取り付け手順を選択することができる。
【００１０】
また、上記手摺保持部材は、略半球状の凸面の中心から周縁部にかけて設けられたスリットを有し、上記凹面部材は、凹面の略中心に設けられたシャフト挿通孔を有し、上記締結手段は、手摺保持部材のスリットと手摺保持部材のシャフト挿通孔とを挿通するシャフトと、このシャフトの両端に設けられ、手摺保持部材と凹面部材とを挟持するようにして、手摺保持部材を凹面部材とシャフトとに対して角度変更可能に締結する締結ボルトおよび締結ナットとを有しているものであることが好ましい。
【００１１】
このようにすれば、シャフトの両端に設けられた締結ボルトおよび締結ナットが、手摺保持部材と凹面部材とを挟持するようにして締結しているので、締結手段の締結ボルトを緩めるとともに、スリットに沿ってシャフトが変位するように、手摺保持部材を回動させることにより、棒状の手摺を手摺保持部材に取り付けた状態で、手摺のブラケット本体に対する傾き角度を任意に調節することができる。
【００１２】
上記シャフトは、スリットの側壁に沿う状態でスリットに挿通されるように断面が略矩形に形成されるとともに、上記締結ナットと一体に設けられ、上記凹面部材のシャフト挿通孔は、略矩形のシャフトの端部と嵌合することができるように略矩形に形成され、上記締結ボルトは、上記締結ナットと上記シャフトの少なくとも一方と螺合して手摺保持部材と凹面部材とを挟持するように、手摺保持部材を凹面部材とシャフトとに対して角度変更可能に締結するものであることが好ましい。
【００１３】
このようにすれば、シャフトの断面が略矩形に形成され、凹面部材のシャフト挿通孔が、シャフトの端部と嵌合することができるように略矩形に形成されているので、シャフトの姿勢と手摺保持部材の凹面部材に対する回動方向を一義的に定めることができる。特に、略矩形のシャフト挿通孔の内側辺を、正しく垂直方向に設定することにより、手摺保持部材の回動を鉛直面内のみに限定することができるので、鉛直面内における手摺保持部材の凹面部材に対する位置決めが容易で、建材部に対する手摺の取り付けを精度の良いものにすることができる。
【００１４】
また、シャフトが締結ナットと一体に設けられ、締結ボルトは、締結ナットとシャフトの少なくとも一方と螺合して手摺保持部材と凹面部材とを挟持するようになっているので、締結に係る部品が簡素化され、締結に係る取り扱いが容易になる。
【００１５】
上記凹面部材は、キー溝を有し、このキー溝と上記手摺保持部材のスリットとに嵌合可能な嵌合部材により、手摺保持部材の凹面部材に対する位置決めが可能なように構成されていることが好ましい。
【００１６】
このようにすれば、手摺保持部材のシャフト軸回りの回動姿勢を嵌合部材により制限することができる結果、建材部に対する手摺の取り付けをより精度の良いものにすることができる。
【００１７】
また、カバー部材が、締結ボルトと、凹面部材のブラケット側連結部材に対する連結部とを覆いながらブラケット側連結部材と一体に嵌合されるので、手摺ブラケットの外観を損なうことなく手摺保持部材と凹面部材とを締結し、凹面部材と連結部材とを連結することができる。
【００１８】
上記ブラケット側連結部材と、カバー部材とは、凹面部材側の端部の内周面に凹面部材の外周面に設けられた係止突起と嵌め合う係止溝を備え、凹面部材が、ブラケット側連結部材に連結され、ブラケット側連結部材およびカバー部材の係止溝と凹面部材の係止突起とが嵌め合った状態で、凹面部材が連結部材に連結されることが好ましい。
【００１９】
このようにすれば、凹面部材が、ブラケット側連結部材に連結され、ブラケット側連結部材およびカバー部材の係止溝と凹面部材の係止突起とが嵌め合った状態で、凹面部材が連結部材に連結されるので、凹面部材と連結部材との連結をより精度の良いものにすることができる。
【発明の効果】
【００２０】
以上説明したように、本発明によれば、棒状の手摺を手摺保持部材に取り付けた状態で、手摺のブラケット本体に対する傾き角度を任意に調節することができるようにすることにより、手摺保持部材の凹面部材に対する位置決めが容易で、建材部に対する手摺の取り付けが精度の良いものになるという顕著な効果を奏する。
【発明を実施するための最良の形態】
【００２１】
以下、添付図面を参照しながら本発明の好ましい実施の一形態について詳述する。図１は、本発明の実施の形態に係る手摺ブラケット１０が、平坦な形状を有する建材部２に取り付けられた状態を示す斜視図である。図２は、図１の第一の分解斜視図であり、主要部分の構成を示している。また、図３は、図１の第二の分解斜視図であり、ブラケット本体３の構成を示している。
【００２２】
また、図４は、本発明の実施の形態に係る手摺ブラケット１０が、出隅の形状を有する建材部２に取り付けられた状態を示す斜視図である。図５は、図４の第一の分解斜視図であり、主要部分の構成を示している。また、図６は、図４の第二の分解斜視図であり、ブラケット本体３の構成を示している。
【００２３】
また、図７は、本発明の実施の形態に係る手摺ブラケット１０が、入隅の形状を有する建材部２に取り付けられた状態を示す分解斜視図である。
【００２４】
図１〜図７に示すように、本発明の実施の形態に係る手摺ブラケット１０は、棒状の手摺１とこの手摺１が固定される建材部２との間に設けられ、手摺１を建材部２に固定するためのものであって、ブラケット本体３と、スペーサ４（図３、図６、図７）と、手摺１の端部１ａを嵌合する手摺保持部材５と、凹面部材６（図２、図５）と、締結手段７（図２、図５）と、連結部材８とを備えている。
【００２５】
上記手摺１は、廊下、階段等の側方に歩行者の補助のために用いられるものであり、本実施形態においては、表面処理された断面円形の金属製パイプが採用されている。
【００２６】
上記建材部２は、廊下、階段等の側方に設けられた壁を構成する部材であり、建物内装用の化粧合板等が採用される。
【００２７】
上記ブラケット本体３は、図３と、図６と、図７とに示すように、手摺ブラケット１０を建材部２に固定するために設けられたベース部３ａと、連結部材８を連結するために設けられた連結部材受け３ｂと、枠状の形状に形成され、ベース部３ａから連結部材受け３ｂへと斜め上方に延びるブラケット部３ｃと、ブラケット部３ｃの内部を覆うカバー３ｄとを備えたものである。ベース部３ａと、連結部材受け３ｂと、ブラケット部３ｃとは一体に形成され、硬質のプラスチックもしくは硬質のプラスチックと金属補強板との合成材で形成されている。また、カバー３ｄは硬質のプラスチックで形成されている。
【００２８】
ここで、ベース部３ａは、略方形状に形成され、ベース固定ねじ３ｅを受けるベース固定ねじ受け座３ｆを有している。ベース部３ａの建材部２に向き合う側の面には、スペーサ４を嵌合する凹部が形成されている。
【００２９】
また、連結部材受け３ｂは、連結部材固定ねじ３ｇを挿通させる連結部材固定ねじ挿通孔３ｈ（図２、図５）が形成されている。
【００３０】
また、カバー３ｄは、ブラケット部３ｃに嵌め合わされることにより、ベース固定ねじ３ｅおよび連結部材固定ねじ３ｇの締結部を覆うように構成されている。
【００３１】
上記スペーサ４は、硬質プラスチック製の部材であり、建材部２への当接部分の形状が異なる複数種類のスペーサ４の中から選択的に用い得るように、ブラケット本体３に対して交換可能に構成されている。
【００３２】
すなわち、スペーサ４は、平坦な形状を有する建材部２の形状に適合する平坦な形状を有するスペーサ４ａ（図３）と、出隅の形状を有する建材部２の形状に適合する入隅の形状を有するスペーサ４ｂ（図６）と、入隅の形状を有する建材部２の形状に適合する出隅の形状を有するスペーサ４ｃ（図７）との中から、選択的に用い得るように、ブラケット本体３に対して交換可能となっている。
【００３３】
このスペーサ４は、ベース固定ねじ３ｅを挿通させるベース固定ねじ挿通孔４ｆを有している。また、連結部材固定ねじ３ｇを挿通させる連結部材固定ねじ挿通孔３ｈ（図２、図５）が形成されている。そして、スペーサ４は、ボルト４ｄとボルト受け座４ｅとボルト孔３ｊとナット４ｇとによりブラケット本体３に着脱可能に取り付けられるようになっている。
【００３４】
なお、出隅の形状を有する建材部２の形状に適合する入隅の形状を有するスペーサ４ｂ（図６）と、入隅の形状を有する建材部２の形状に適合する出隅の形状を有するスペーサ４ｃ（図７）とについては、スペーサ４ｂ、４ｃがスペーサ４ａ（図３）よりも厚みが増加してスペーサ４ｂ、４ｃが露出し、建材部２に貼られた壁紙の端部が外部から見えることから、スペーサ４ｂ、４ｃと壁紙の端部を覆うためのスペーサーカバー４ｈ、４ｊが別途設けられる。
【００３５】
上記手摺保持部材５は、手摺１の端部１ａを嵌合する嵌合部５ａが一端に設けられ、この嵌合部５ａには、手摺１を手摺保持部材５に固定するための手摺固定ねじ５ｂを挿通させる手摺固定ねじ挿通孔５ｃが設けられている。
【００３６】
また、この手摺保持部材５には、他端に略半球状の凸面５ｄが設けられており、この凸面５ｄの中心から周縁部にかけては、後述する締結手段７のシャフト７ａを挿通させるスリット５ｅが設けられている。
【００３７】
上記凹面部材６は、手摺保持部材５の凸面５ｄに接する凹面６ａを備えており、この凹面６ａの略中心には、略矩形のシャフト７ａの端部と嵌合することができるように略矩形に形成されたシャフト挿通孔６ｂが設けられている。
【００３８】
この凹面部材６は、また凹面６ａの周縁部にキー溝６ｃを有し、このキー溝６ｃと手摺保持部材５のスリット５ｅとに嵌合可能な嵌合部材６ｄにより、手摺保持部材５の凹面部材６に対する位置決めが可能なように構成されている。
【００３９】
また、この凹面部材６の外周面には、後述する連結部材８の係止溝８ｅと嵌め合う係止突起６ｅが設けられている。
【００４０】
上記締結手段７は、手摺保持部材５を凹面部材６に締結するためのものであり、この締結手段７は、手摺保持部材５のスリット５ｅと手摺保持部材５のシャフト挿通孔６ｂとを挿通するシャフト７ａと、このシャフト７ａの両端に設けられた締結ボルト７ｂおよび締結ナット７ｃとにより、凹面部材６の凹面６ａに沿って摺動可能に手摺保持部材５を凹面部材６に締結するようになっている。
【００４１】
詳細に説明すると、締結手段７は、シャフト７ａと、締結ボルト７ｂおよび締結ナット７ｃと、ワッシャ７ｄ、７ｅ、７ｆとにより、手摺保持部材５と凹面部材６とを挟持するようにして、手摺保持部材５を凹面部材６とシャフト７ａとに対して角度変更可能に締結している。そのため、締結手段７は、棒状の手摺を手摺保持部材に取り付けた状態であっても、凹面部材６の背面にある締結ボルト７ｂを操作することにより、手摺のブラケット本体に対する傾き角度を任意に調節することができるようになっている。
【００４２】
ここで、シャフト７ａは、スリット５ｅの側壁５ｆ（図５）に沿う状態でスリット５ｅに挿通されるように断面が略矩形に形成されるとともに、締結ナット７ｃと一体に設けられている。
【００４３】
また、締結ボルト７ｂは、締結ナット７ｃとシャフト７ａの少なくとも一方と螺合して手摺保持部材５と凹面部材６とを挟持するように構成されており、これにより手摺保持部材５を凹面部材６とシャフト７ａとに対して角度変更可能に締結することができるようになっている。そして、締結ボルト７ｂの頂部には棒スパナ等の工具を係合し得る六角穴が形成されている。また、締結ナット７ｃはシャフト７ａに溶接されている。
【００４４】
上記連結部材８は、凹面部材６をブラケット本体３に連結するための概ね円筒状の部材であり、ブラケット側連結部材８ａと、カバー部材８ｂとを備えている。
【００４５】
ブラケット側連結部材８ａは、ブラケット本体３に固定されるとともに、凹面部材６を連結する部材であり、凹面部材６に設けられた連結ねじ受け座６ｆとブラケット側連結部材８ａに設けられた連結ねじ孔８ｃとを連結ねじ８ｄで締結することにより、凹面部材６をブラケット側連結部材８ａに連結する。
【００４６】
また、カバー部材８ｂは、このブラケット側連結部材８ａと一体に嵌合される部材であり、凹面部材６のブラケット側連結部材８ａに対する連結部を覆うように構成されている。
【００４７】
これらブラケット側連結部材８ａと、カバー部材８ｂとは、凹面部材６側の端部の内周面に凹面部材６の外周面に設けられた係止突起６ｅと嵌め合う係止溝８ｅを備え、凹面部材６が、ブラケット側連結部材８ａに連結され、ブラケット側連結部材８ａおよびカバー部材８ｂの係止溝８ｅと凹面部材６の係止突起６ｅとが嵌め合った状態で、凹面部材６が連結部材８に連結されるように構成されている。
【００４８】
なお、この連結部材８は、必ずしも図１〜図３に示すような直線的な円筒の形状に限定されず、手摺ブラケット１０が取り付けられる場所に応じて図４〜図７に示すような曲がりを有する円筒の形状に形成された連結部材８を採用することも可能である。
【００４９】
次に図１〜図７を参照して、本発明の実施の形態に係る手摺ブラケット１０の組み立て方法と作用とについて説明する。
【００５０】
まず、本発明の実施の形態に係る手摺ブラケット１０の工場における組み立て手順は以下の通りである。
【００５１】
まず、シャフト７ａが、手摺保持部材５のスリット５ｅと手摺保持部材５のシャフト挿通孔６ｂとに挿通され、次に、シャフト７ａの両端に設けられた締結ボルト７ｂおよび締結ナット７ｃとにより、手摺保持部材５が凹面部材６に緩やかに締結される。
【００５２】
この時、シャフト７ａは、スリット５ｅの側壁５ｆに沿う状態でスリット５ｅに挿通されるとともに、シャフト７ａの略矩形の端部が、凹面６ａの略中心に設けられた略矩形に形成されたシャフト挿通孔６ｂに嵌合される。
【００５３】
また、シャフト７ａの両端に設けられた締結ボルト７ｂおよび締結ナット７ｃが、ワッシャ７ｄ、７ｅ、７ｆを介して手摺保持部材５と凹面部材６とを挟持するようにして、手摺保持部材５を凹面部材６とシャフト７ａとに対して角度変更可能に緩やかに締結される。
【００５４】
これにより、手摺保持部材５の他端に設けられた略半球状の凸面５ｄと、連結部材８に連結される凹面部材６に形成された凹面６ａとが接した状態で、締結手段７により摺動可能に締結される。
この時、略矩形のシャフト挿通孔６ｂの内側辺は、通常、垂直方向になるように設定される。これにより、手摺保持部材５の回動を鉛直面内のみに限定することができるようになる。
【００５５】
この状態で、ブラケット側連結部材８ａの端部の内周面に設けられた係止溝８ｅと、凹面部材６の外周面に設けられた係止突起６ｅとを嵌め合わせ、凹面部材６に設けられた連結ねじ受け座６ｆとブラケット側連結部材８ａに設けられた連結ねじ孔８ｃとを連結ねじ８ｄで締結することにより、凹面部材６をブラケット側連結部材８ａに連結する。
【００５６】
また、連結部材固定ねじ３ｇにより、ブラケット側連結部材８ａが、ブラケット本体３に固定される。
【００５７】
また、凹面部材６のブラケット側連結部材８ａに対する連結部を覆うために、カバー部材８ｂの係止溝８ｅと凹面部材６の係止突起６ｅとを嵌め合わせた状態で、カバー部材８ｂを、ブラケット側連結部材８ａに一体に嵌合する。
【００５８】
なお、この段階では、カバー部材８ｂはブラケット側連結部材８ａから外しておいてもよい。
【００５９】
次に、本発明の実施の形態に係る手摺ブラケット１０を、建材部２に取り付ける手順は以下の通りである。
【００６０】
まず、カバー３ｄが、ブラケット部３ｃから分離された状態で、ベース固定ねじ３ｅにより、ブラケット本体３が、スペーサ４（図３と図７とにおいてはスペーサ４およびスペーサーカバー４ｈ、４ｊ）とともに、建材部２に固定される。
【００６１】
この時、建材部２への当接部分の形状が異なる複数種類のスペーサ４の中から建材部２の形状に適合する形状を有するスペーサ４を選択的に用いる。
【００６２】
すなわち、平坦な形状を有する建材部２に取り付ける場合は、図３に示すように、平坦な形状を有するスペーサ４ａを用いる。
【００６３】
また、出隅の形状を有する建材部２に取り付ける場合は、図６に示すように、出隅に適合する形状を有するスペーサ４ｂを用いる。
【００６４】
そして、入隅の形状を有する建材部２に取り付ける場合は、図７に示すように、入隅に適合する形状を有するスペーサ４ｃを用いる。
【００６５】
このようにして、ブラケット本体３を変更することなく、さまざまな形状の建材部２に対して手摺ブラケット１０を取り付ける。
【００６６】
次に、カバー部材８ｂが、ブラケット側連結部材８ａから分離された状態で、シャフト７ａの両端に設けられた締結ボルト７ｂが緩められ、手摺保持部材５が凹面部材６とシャフト７ａとに対して角度変更することができるようになる。
【００６７】
この状態で、手摺保持部材５の一端に設けられた嵌合部５ａに手摺１の端部１ａを嵌合し、手摺固定ねじ挿通孔５ｃに手摺固定ねじ５ｂを挿通させてねじ込むことにより、手摺１が手摺保持部材５に固定される。
【００６８】
また、スリット５ｅに沿ってシャフト７ａが変位するように、手摺保持部材５を回動させることにより、棒状の手摺１をブラケット本体３に対して大きな傾き角度で容易に角度変更することができる。
【００６９】
そして、手摺１と手摺保持部材５との角度を調整した上で、シャフト７ａの一端に設けられた締結ボルト７ｂを工具で固く締め付けることにより、手摺保持部材５が凹面部材６に対して締結される。
【００７０】
この時、必要に応じて、固定側の手摺保持部材５については、凹面部材６のキー溝６ｃと手摺保持部材５のスリット５ｅとに嵌合部材６ｄを嵌合わせることにより、手摺保持部材５の凹面部材６に対する位置決めがなされ、手摺保持部材５のシャフト７ａ軸回りの回動を嵌合部材６ｄにより制限することができるようになる。
【００７１】
このようにして、棒状の手摺１が、手摺ブラケット１０により建材部２に固定される。
【００７２】
以上説明したように、本発明の実施の形態に係る手摺１のブラケット構造によれば、手摺保持部材５に対する締結力を凹面部材６の連結部材８側から変更することができるように締結手段７が構成されているので、棒状の手摺１を手摺保持部材５に取り付けた状態で、手摺１のブラケット本体３に対する傾き角度を任意に調節することができ、手摺保持部材５の凹面部材６に対する位置決めが容易で、建材部２に対する手摺１の取り付けを精度の良いものにすることができるようになる。このように、締結手段７の締結力の調節により、容易にかつ確実に手摺ブラケット１０を建材部２と手摺１とに対して取り付けることができるようになる。
【００７３】
次に、本発明の実施の形態に係る手摺１のブラケット構造によれば、シャフト７ａの両端に設けられた締結ボルト７ｂおよび締結ナット７ｃが、手摺保持部材５と凹面部材６とを挟持するようにして締結しているので、締結手段７の締結ボルト７ｂを緩めるとともに、スリット５ｅに沿ってシャフト７ａが変位するように、手摺保持部材５を回動させることにより、棒状の手摺１を手摺保持部材５に取り付けた状態で、手摺１のブラケット本体３に対する傾き角度を任意に調節することができる。
【００７４】
また、本発明の実施の形態に係る手摺１のブラケット構造によれば、シャフト７ａの断面が略矩形に形成され、凹面部材６のシャフト挿通孔６ｂが、シャフト７ａの端部と嵌合することができるように略矩形に形成されているので、シャフト７ａの姿勢と手摺保持部材５の凹面部材６に対する回動方向を一義的に定めることができる。特に、略矩形のシャフト挿通孔６ｂの内側辺を、正しく垂直方向に設定することにより、手摺保持部材５の回動を鉛直面内のみに限定することができるので、鉛直面内における手摺保持部材５の凹面部材６に対する位置決めが容易で、建材部２に対する手摺１の取り付けを精度の良いものにすることができる。
【００７５】
また、シャフト７ａが締結ナット７ｃと一体に設けられ、締結ボルト７ｂは、締結ナット７ｃとシャフト７ａの少なくとも一方と螺合して手摺保持部材５と凹面部材６とを挟持するようになっているので、締結に係る部品が簡素化され、締結に係る取り扱いが容易になる。
【００７６】
さらに、本発明の実施の形態に係る手摺１のブラケット構造によれば、手摺保持部材５のシャフト７ａ軸回りの回動姿勢を嵌合部材６ｄにより制限することができる結果、建材部２に対する手摺１の取り付けをより精度の良いものにすることができる。
【００７７】
そして、本発明の実施の形態に係る手摺１のブラケット構造によれば、凹面部材６がブラケット側連結部材８ａに連結されるので、棒状の手摺１を手摺保持部材５に取り付けた状態で手摺保持部材５の凹面部材６に対する位置決めを行った後、凹面部材６をブラケット側連結部材８ａに連結することができるなど、手摺１と建材部２との状況に応じて、様々な取り付け手順を選択することができる。
【００７８】
また、カバー部材８ｂが凹面部材６のブラケット側連結部材８ａに対する連結部を覆いながらブラケット側連結部材８ａと一体に嵌合されるので、手摺ブラケット１０の外観を損なうことなく手摺保持部材５と凹面部材６とを締結し、凹面部材６と連結部材８とを連結することができる。
【００７９】
また、本発明の実施の形態に係る手摺１のブラケット構造によれば、凹面部材６が、ブラケット側連結部材８ａに連結され、ブラケット側連結部材８ａおよびカバー部材８ｂの係止溝８ｅと凹面部材６の係止突起６ｅとが嵌め合った状態で、凹面部材６が連結部材８に連結されるので、凹面部材６と連結部材８との連結をより精度の良いものにすることができる。
【００８０】
上述した実施の形態は、本発明の好ましい具体例を例示したものに過ぎず、本発明は上述した実施の形態に限定されない。
【００８１】
例えば、手摺１は、必ずしも廊下，階段等の側方に歩行者の補助のために用いられるものに限定されず、また、形状、材質も図示のような断面円形の表面処理された金属パイプで構成されたものに限定されない。建材部に設けられるものであれば、どのような手摺でも適用可能であり、また、木製の棒状部材などで構成されたものでも採用可能である。
【００８２】
建材部２も、建物内装用の化粧合板に限らず、種々のものに変更可能である。
【００８３】
ブラケット本体３、スペーサ４、手摺保持部材５、凹面部材６、連結部材８は、必ずしも硬質プラスチックの成形品や硬質プラスチックと金属補強板との合成材である必要はなく、アルミダイカストなどの鋳物成形品も採用可能であるなど、種々の設計変更が可能である。
【００８４】
締結手段７も、手摺保持部材５を凹面部材６に摺動可能に締結することができれば、必ずしも図示の形状に限定されない。締結ボルト７ｂと締結ナット７ｃとだけで手摺保持部材５と凹面部材６とを挟持するようにして締結するものであっても、手摺保持部材５を凹面部材６に対して角度変更可能に締結することができるなど、種々の設計変更が可能である。
【００８５】
その他、本発明の特許請求の範囲内で種々の設計変更が可能であることはいうまでもない。
【図面の簡単な説明】
【００８６】
【図１】本発明の実施の形態に係る手摺ブラケットが、平坦な形状を有する建材部に取り付けられた状態を示す斜視図である。
【図２】図１の第一の分解斜視図であり、主要部分の構成を示している。
【図３】図１の第二の分解斜視図であり、ブラケット本体の構成を示している。
【図４】本発明の実施の形態に係る手摺ブラケットが、出隅の形状を有する建材部に取り付けられた状態を示す斜視図である。
【図５】図４の第一の分解斜視図であり、主要部分の構成を示している。
【図６】図４の第二の分解斜視図であり、ブラケット本体の構成を示している。
【図７】本発明の実施の形態に係る手摺ブラケットが、入隅の形状を有する建材部に取り付けられた状態を示す分解斜視図である。
【符号の説明】
【００８７】
１      手摺
１ａ    手摺の端部
２      建材部
３      ブラケット本体
５ａ    嵌合部
５ｄ    凸面
５ｅ    スリット
５ｆ    スリットの側壁
６      凹面部材
６ａ    凹面
６ｂ    シャフト挿通孔
６ｃ    キー溝
６ｄ    嵌合部材
６ｅ    係止突起
６ｆ    連結ねじ受け座
７      締結手段
７ａ    シャフト
７ｂ    締結ボルト
７ｃ    締結ナット
８      連結部材
８ａ    ブラケット側連結部材
８ｂ    カバー部材
８ｃ    連結ねじ孔
８ｄ    連結ねじ
８ｅ    係止溝
１０    手摺ブラケット
【図１】
2005220559.tif 000003
【図２】
2005220559.tif 000004
【図３】
2005220559.tif 000005
【図４】
2005220559.tif 000006
【図５】
2005220559.tif 000007
【図６】
2005220559.tif 000008
【図７】
2005220559.tif 000009